【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
復号方法であって、
−画像の現在のブロックが前記画像の境界を越えて延在するかどうかを判断することと、
−複数の分割モードの各分割モードに対して、前記分割モードが前記現在のブロックに対して許可されるかどうかを、
−前記画像の前記境界に沿った前記画像内部のブロック部分のサイズが最小ブロックサイズの倍数である場合には前記分割モードを許可すること
によって判断することと、
−前記許可される分割モードに基づいて前記現在のブロックの現在の分割モードをビットストリームから復号することと、
−前記現在の分割モードに従って前記現在のブロックを復号することと
を含む、復号方法。
【請求項２】
ｈは前記現在のブロックの高さで、ｗは前記現在のブロックの幅であり、かつ前記複数の分割モードは、次の分割モード：
−前記ブロックを、高さｈ／４の１つの上側サブブロックおよび高さ３ｈ／４の１つの下側サブブロックに水平に分割すること、
−前記ブロックを、高さｈ／４の１つの下側サブブロックおよび高さ３ｈ／４の１つの上側サブブロックに水平に分割すること、
−前記ブロックを、幅ｗ／４の１つの左側サブブロックおよび幅３ｗ／４の１つの右側サブブロックに垂直に分割すること、
−前記ブロックを、幅ｗ／４の１つの右側サブブロックおよび幅３ｗ／４の１つの左側サブブロックに垂直に分割すること、
−前記ブロックを、高さｈ／４の１つのサブブロック、高さｈ／２の１つの中央サブブロックおよび高さｈ／４の１つのサブブロックに水平に分割すること、
−前記ブロックを、幅ｗ／４の１つのサブブロック、幅ｗ／２の１つの中央サブブロックおよび幅ｗ／４の１つのサブブロックに垂直に分割すること、
−前記ブロックを、高さｈ／２の２つのサブブロックに水平に分割すること、ならびに
−前記ブロックを、幅ｗ／２の２つのサブブロックに垂直に分割すること
の少なくとも２つを含む、請求項１に記載の復号方法。
【請求項３】
高さおよび幅の少なくとも１つにおける前記最小ブロックサイズは４に等しい、請求項１に記載の復号方法。
【請求項４】
符号化方法であって、
−画像の現在のブロックが前記画像の境界を越えて延在するかどうかを判断することと、
−複数の分割モードの各分割モードに対して、前記分割モードが前記現在のブロックに対して許可されるかどうかを、
−前記画像の前記境界に沿った前記画像内部のブロック部分のサイズが最小ブロックサイズの倍数である場合には前記分割モードを許可すること
によって判断することと、
−前記許可される分割モードに基づいて判断された前記現在のブロックの現在の分割モードをビットストリームに符号化することと、
−前記現在の分割モードに従って前記現在のブロックを前記ビットストリームに符号化することと
を含む、符号化方法。
【請求項５】
ｈは前記現在のブロックの高さで、ｗは前記現在のブロックの幅であり、かつ前記複数の分割モードは、次の分割モード：
−前記ブロックを、高さｈ／４の１つの上側サブブロックおよび高さ３ｈ／４の１つの下側サブブロックに水平に分割すること、
−前記ブロックを、高さｈ／４の１つの下側サブブロックおよび高さ３ｈ／４の１つの上側サブブロックに水平に分割すること、
−前記ブロックを、幅ｗ／４の１つの左側サブブロックおよび幅３ｗ／４の１つの右側サブブロックに垂直に分割すること、
−前記ブロックを、幅ｗ／４の１つの右側サブブロックおよび幅３ｗ／４の１つの左側サブブロックに垂直に分割すること、
−前記ブロックを、高さｈ／４の１つのサブブロック、高さｈ／２の１つの中央サブブロックおよび高さｈ／４の１つのサブブロックに水平に分割すること、
−前記ブロックを、幅ｗ／４の１つのサブブロック、幅ｗ／２の１つの中央サブブロックおよび幅ｗ／４の１つのサブブロックに垂直に分割すること、
−前記ブロックを、高さｈ／２の２つのサブブロックに水平に分割すること、ならびに
−前記ブロックを、幅ｗ／２の２つのサブブロックに垂直に分割すること
の少なくとも２つを含む、請求項４に記載の符号化方法。
【請求項６】
高さおよび幅の少なくとも１つにおける前記最小ブロックサイズは４に等しい、請求項４に記載の符号化方法。
【請求項７】
復号装置であって、
−画像の現在のブロックが前記画像の境界を越えて延在するかどうかを判断することと、
−複数の分割モードの各分割モードに対して、前記分割モードが前記現在のブロックに対して許可されるかどうかを、
−前記画像の前記境界に沿った前記画像内部のブロック部分のサイズが最小ブロックサイズの倍数である場合には前記分割モードを許可すること
によって判断することと、
−前記許可される分割モードに基づいて前記現在のブロックの現在の分割モードをビットストリームから復号することと、
−前記現在の分割モードに従って前記現在のブロックを復号することと
を行うために適合された電子回路を含む、復号装置。
【請求項８】
ｈは前記現在のブロックの高さで、ｗは前記現在のブロックの幅であり、かつ前記複数の分割モードは、次の分割モード：
−前記ブロックを、高さｈ／４の１つの上側サブブロックおよび高さ３ｈ／４の１つの下側サブブロックに水平に分割すること、
−前記ブロックを、高さｈ／４の１つの下側サブブロックおよび高さ３ｈ／４の１つの上側サブブロックに水平に分割すること、
−前記ブロックを、幅ｗ／４の１つの左側サブブロックおよび幅３ｗ／４の１つの右側サブブロックに垂直に分割すること、
−前記ブロックを、幅ｗ／４の１つの右側サブブロックおよび幅３ｗ／４の１つの左側サブブロックに垂直に分割すること、
−前記ブロックを、高さｈ／４の１つのサブブロック、高さｈ／２の１つの中央サブブロックおよび高さｈ／４の１つのサブブロックに水平に分割すること、
−前記ブロックを、幅ｗ／４の１つのサブブロック、幅ｗ／２の１つの中央サブブロックおよび幅ｗ／４の１つのサブブロックに垂直に分割すること、
−前記ブロックを、高さｈ／２の２つのサブブロックに水平に分割すること、ならびに
−前記ブロックを、幅ｗ／２の２つのサブブロックに垂直に分割すること
の少なくとも２つを含む、請求項７に記載の復号装置。
【請求項９】
高さおよび幅の少なくとも１つにおける前記最小ブロックサイズは４に等しい、請求項７に記載の復号装置。
【請求項１０】
符号化装置であって、
−画像の現在のブロックが前記画像の境界を越えて延在するかどうかを判断することと、
−複数の分割モードの各分割モードに対して、前記分割モードが前記現在のブロックに対して許可されるかどうかを、
−前記画像の前記境界に沿った前記画像内部のブロック部分のサイズが最小ブロックサイズの倍数である場合には前記分割モードを許可すること
によって判断することと、
−前記許可される分割モードに基づいて判断された前記現在のブロックの現在の分割モードをビットストリームに符号化することと、
−前記現在の分割モードに従って前記現在のブロックを前記ビットストリームに符号化することと
を行うために適合された電子回路を含む、符号化装置。
【請求項１１】
ｈは前記現在のブロックの高さで、ｗは前記現在のブロックの幅であり、かつ前記複数の分割モードは、次の分割モード：
−前記ブロックを、高さｈ／４の１つの上側サブブロックおよび高さ３ｈ／４の１つの下側サブブロックに水平に分割すること、
−前記ブロックを、高さｈ／４の１つの下側サブブロックおよび高さ３ｈ／４の１つの上側サブブロックに水平に分割すること、
−前記ブロックを、幅ｗ／４の１つの左側サブブロックおよび幅３ｗ／４の１つの右側サブブロックに垂直に分割すること、
−前記ブロックを、幅ｗ／４の１つの右側サブブロックおよび幅３ｗ／４の１つの左側サブブロックに垂直に分割すること、
−前記ブロックを、高さｈ／４の１つのサブブロック、高さｈ／２の１つの中央サブブロックおよび高さｈ／４の１つのサブブロックに水平に分割すること、
−前記ブロックを、幅ｗ／４の１つのサブブロック、幅ｗ／２の１つの中央サブブロックおよび幅ｗ／４の１つのサブブロックに垂直に分割すること、
−前記ブロックを、高さｈ／２の２つのサブブロックに水平に分割すること、ならびに
−前記ブロックを、幅ｗ／２の２つのサブブロックに垂直に分割すること
の少なくとも２つを含む、請求項１０に記載の符号化装置。
【請求項１２】
高さおよび幅の少なくとも１つにおける前記最小ブロックサイズは４に等しい、請求項１０に記載の符号化装置。
【請求項１３】
機械実行可能命令がその上に格納されている持続性機械可読媒体であって、前記機械可読命令は、実行される場合に、画像の現在のブロックを復号するための方法を実装し、前記方法は、
−前記現在のブロックが前記画像の境界を越えて延在するかどうかを判断することと、
−複数の分割モードの各分割モードに対して、前記分割モードが前記現在のブロックに対して許可されるかどうかを、
−前記画像の前記境界に沿った前記画像内部のブロック部分のサイズが最小ブロックサイズの倍数である場合には前記分割モードを許可すること
によって判断することと、
−前記許可される分割モードに基づいて前記現在のブロックの現在の分割モードをビットストリームから復号することと
−前記現在の分割モードに従って前記現在のブロックを復号することと
を含む、持続性機械可読媒体。
【請求項１４】
機械実行可能命令がその上に格納されている持続性機械可読媒体であって、前記機械可読命令は、実行される場合に、画像の現在のブロックを符号化するための方法を実装し、前記方法は、
−前記現在のブロックが前記画像の境界を越えて延在するかどうかを判断することと、
−複数の分割モードの各分割モードに対して、前記分割モードが前記現在のブロックに対して許可されるかどうかを、
−前記画像境界に沿った前記画像内部のブロック部分のサイズが最小ブロックサイズの倍数である場合には前記分割モードを許可すること
によって判断することと、
−前記許可される分割モードに基づいて判断された前記現在のブロックの現在の分割モードをビットストリームに符号化することと、
−前記現在の分割モードに従って前記現在のブロックを前記ビットストリームに符号化することと
を含む、持続性機械可読媒体。
【請求項１５】
画像のブロックを表す符号化データを含むためにフォーマットされたビットストリームであって、前記符号化データは
−前記現在のブロックが前記画像の境界を越えて延在するかどうかを判断することと、
−複数の分割モードの各分割モードに対して、前記分割モードが前記現在のブロックに対して許可されるかどうかを、
−前記画像の前記境界に沿った前記画像内部のブロック部分のサイズが最小ブロックサイズの倍数である場合には前記分割モードを許可すること
によって判断することと、
−前記許可される分割モードに基づいて前記現在のブロックの現在の分割モードをビットストリームから復号することと、
−前記現在の分割モードに従って前記現在のブロックを復号することと
を含む符号化方法を使用して符号化されている、
ビットストリーム。
【請求項１６】
画像のブロックを表す符号化データを含むためにフォーマットされたビットストリームであって、前記符号化データは
−前記現在のブロックが前記画像の境界を越えて延在するかどうかを判断することと、
−複数の分割モードの各分割モードに対して、前記分割モードが前記現在のブロックに対して許可されるかどうかを、
−前記画像の前記境界に沿った前記画像内部のブロック部分のサイズが最小ブロックサイズの倍数である場合には前記分割モードを許可すること
によって判断することと、
−前記許可される分割モードに基づいて判断された前記現在のブロックの現在の分割モードをビットストリームに符号化することと、
−前記現在の分割モードに従って前記現在のブロックを前記ビットストリームに符号化することと
を行うために適合された電子回路を含む、画像の現在のブロックの符号化するように構成された符号化装置を使用して符号化されている、
ビットストリーム。
【手続補正２】
【補正対象書類名】明細書
【補正対象項目名】０１１９
【補正方法】変更
【補正の内容】
【０１１９】
いくつかの実施態様が説明されている。それでもなお、様々な変更が行われ得ることが理解されよう。例えば、異なる実施態様の要素が、組み合わされ、補足され、変更され、または取り除かれて他の実施態様を生成し得る。追加として、当業者は、他の構造およびプロセスが開示されたものの代わりに使用され得、結果として生じる実施態様は、開示された実施態様と、少なくとも実質的に同じ機能（複数可）を、少なくとも実質的に同じ方法（複数可）で実行して、少なくとも実質的に同じ結果（複数可）を達成することを理解するであろう。その結果、これらのおよび他の実施態様は本出願によって企図される。
なお、上述の実施形態の一部又は全部は、以下の付記のように記載され得るが、以下には限定されない。
（付記１）
画像の現在のブロックを復号するための復号方法であって、
前記現在のブロックが前記画像の境界を越えて延在するかどうかを判断することと、
複数の分割モードの各分割モードに対して、前記分割モードが前記現在のブロックに対して許可されるかどうかを、
前記分割線の少なくとも１本が前記画像境界の１つと同一場所に位置付けられている場合には前記分割モードを許可することによって、そうでなければ、
前記画像境界に沿った前記画像内部のブロック部分のサイズが最小ブロックサイズの倍数である場合には前記分割モードを許可することによって、
判断することと、
前記許可される分割モードに応答して前記現在のブロックの現在の分割モードをビットストリームから復号することと、
前記現在の分割モードに従って前記現在のブロックを復号することと、
を含む、復号方法。
（付記２）
ｈは前記現在のブロックの高さで、ｗは前記現在のブロックの幅であり、かつ前記複数の分割モードは、次の分割モード：
前記ブロックを、高さｈ／４の１つの上側サブブロックおよび高さ３ｈ／４の１つの下側サブブロックに水平に分割すること、
前記ブロックを、高さｈ／４の１つの下側サブブロックおよび高さ３ｈ／４の１つの上側サブブロックに水平に分割すること、
前記ブロックを、幅ｗ／４の１つの左側サブブロックおよび幅３ｗ／４の１つの右側サブブロックに垂直に分割すること、
前記ブロックを、幅ｗ／４の１つの右側サブブロックおよび幅３ｗ／４の１つの左側サブブロックに垂直に分割すること、
前記ブロックを、高さｈ／４の１つのサブブロック、高さｈ／２の１つの中央サブブロックおよび高さｈ／４の１つのサブブロックに水平に分割すること、
前記ブロックを、幅ｗ／４の１つのサブブロック、幅ｗ／２の１つの中央サブブロックおよび幅ｗ／４の１つのサブブロックに垂直に分割すること、
前記ブロックを、高さｈ／２の２つのサブブロックに水平に分割すること、ならびに
前記ブロックを、幅ｗ／２の２つのサブブロックに垂直に分割すること、
の少なくとも２つを含む、付記１に記載の復号方法。
（付記３）
高さおよび幅の少なくとも１つにおける前記最小ブロックサイズは４に等しい、付記１または２に記載の復号方法。
（付記４）
画像の現在のブロックを符号化するための符号化方法であって、
前記現在のブロックが前記画像の境界を越えて延在するかどうかを判断することと、
複数の分割モードの各分割モードに対して、前記分割モードが前記現在のブロックに対して許可されるかどうかを、
前記分割線の少なくとも１本が前記画像境界の１つと同一場所に位置付けられている場合には前記分割モードを許可することによって、そうでなければ、
前記画像境界に沿った前記画像内部のブロック部分のサイズが最小ブロックサイズの倍数である場合には前記分割モードを許可することによって、
判断することと、
前記許可される分割モードに応答して判断された前記現在のブロックの現在の分割モードをビットストリームに符号化することと、
前記現在の分割モードに従って前記現在のブロックを前記ビットストリームに符号化することと、
を含む、符号化方法。
（付記５）
ｈは前記現在のブロックの高さで、ｗは前記現在のブロックの幅であり、かつ前記複数の分割モードは、次の分割モード：
前記ブロックを、高さｈ／４の１つの上側サブブロックおよび高さ３ｈ／４の１つの下側サブブロックに水平に分割すること、
前記ブロックを、高さｈ／４の１つの下側サブブロックおよび高さ３ｈ／４の１つの上側サブブロックに水平に分割すること、
前記ブロックを、幅ｗ／４の１つの左側サブブロックおよび幅３ｗ／４の１つの右側サブブロックに垂直に分割すること、
前記ブロックを、幅ｗ／４の１つの右側サブブロックおよび幅３ｗ／４の１つの左側サブブロックに垂直に分割すること、
前記ブロックを、高さｈ／４の１つのサブブロック、高さｈ／２の１つの中央サブブロックおよび高さｈ／４の１つのサブブロックに水平に分割すること、
前記ブロックを、幅ｗ／４の１つのサブブロック、幅ｗ／２の１つの中央サブブロックおよび幅ｗ／４の１つのサブブロックに垂直に分割すること、
前記ブロックを、高さｈ／２の２つのサブブロックに水平に分割すること、ならびに
前記ブロックを、幅ｗ／２の２つのサブブロックに垂直に分割すること、
の少なくとも２つを含む、付記４に記載の符号化方法。
（付記６）
高さおよび幅の少なくとも１つにおける前記最小ブロックサイズは４に等しい、付記４または５に記載の符号化方法。
（付記７）
画像の現在のブロックを復号するように構成された復号装置であって、
前記現在のブロックが前記画像の境界を越えて延在するかどうかを判断するための手段と、
複数の分割モードの各分割モードに対して、前記分割モードが前記現在のブロックに対して許可されるかどうかを、
前記分割線の少なくとも１本が前記画像境界の１つと同一場所に位置付けられている場合には前記分割モードを許可することによって、そうでなければ、
前記画像境界に沿った前記画像内部のブロック部分のサイズが最小ブロックサイズの倍数である場合には前記分割モードを許可することによって、
判断するための手段と、
前記許可される分割モードに応答して前記現在のブロックの現在の分割モードをビットストリームから復号するための手段と、
前記現在の分割モードに従って前記現在のブロックを復号するための手段と、
を含む、復号装置。
（付記８）
ｈは前記現在のブロックの高さで、ｗは前記現在のブロックの幅であり、かつ前記複数の分割モードは、次の分割モード：
前記ブロックを、高さｈ／４の１つの上側サブブロックおよび高さ３ｈ／４の１つの下側サブブロックに水平に分割すること、
前記ブロックを、高さｈ／４の１つの下側サブブロックおよび高さ３ｈ／４の１つの上側サブブロックに水平に分割すること、
前記ブロックを、幅ｗ／４の１つの左側サブブロックおよび幅３ｗ／４の１つの右側サブブロックに垂直に分割すること、
前記ブロックを、幅ｗ／４の１つの右側サブブロックおよび幅３ｗ／４の１つの左側サブブロックに垂直に分割すること、
前記ブロックを、高さｈ／４の１つのサブブロック、高さｈ／２の１つの中央サブブロックおよび高さｈ／４の１つのサブブロックに水平に分割すること、
前記ブロックを、幅ｗ／４の１つのサブブロック、幅ｗ／２の１つの中央サブブロックおよび幅ｗ／４の１つのサブブロックに垂直に分割すること、
前記ブロックを、高さｈ／２の２つのサブブロックに水平に分割すること、ならびに
前記ブロックを、幅ｗ／２の２つのサブブロックに垂直に分割すること、
の少なくとも２つを含む、付記７に記載の復号装置。
（付記９）
高さおよび幅の少なくとも１つにおける前記最小ブロックサイズは４に等しい、付記７または８に記載の復号装置。
（付記１０）
画像の現在のブロックを符号化するように構成された符号化装置であって、
前記現在のブロックが前記画像の境界を越えて延在するかどうかを判断するための手段と、
複数の分割モードの各分割モードに対して、前記分割モードが前記現在のブロックに対して許可されるかどうかを、
前記分割線の少なくとも１本が前記画像境界の１つと同一場所に位置付けられている場合には前記分割モードを許可することによって、そうでなければ、
前記画像境界に沿った前記画像内部のブロック部分のサイズが最小ブロックサイズの倍数である場合には前記分割モードを許可することによって、
判断するための手段と、
前記許可される分割モードに応答して判断された前記現在のブロックの現在の分割モードをビットストリームに符号化するための手段と、
前記現在の分割モードに従って前記現在のブロックを前記ビットストリームに符号化するための手段と、
を含む、符号化装置。
（付記１１）
ｈは前記現在のブロックの高さで、ｗは前記現在のブロックの幅であり、かつ前記複数の分割モードは、次の分割モード：
前記ブロックを、高さｈ／４の１つの上側サブブロックおよび高さ３ｈ／４の１つの下側サブブロックに水平に分割すること、
前記ブロックを、高さｈ／４の１つの下側サブブロックおよび高さ３ｈ／４の１つの上側サブブロックに水平に分割すること、
前記ブロックを、幅ｗ／４の１つの左側サブブロックおよび幅３ｗ／４の１つの右側サブブロックに垂直に分割すること、
前記ブロックを、幅ｗ／４の１つの右側サブブロックおよび幅３ｗ／４の１つの左側サブブロックに垂直に分割すること、
前記ブロックを、高さｈ／４の１つのサブブロック、高さｈ／２の１つの中央サブブロックおよび高さｈ／４の１つのサブブロックに水平に分割すること、
前記ブロックを、幅ｗ／４の１つのサブブロック、幅ｗ／２の１つの中央サブブロックおよび幅ｗ／４の１つのサブブロックに垂直に分割すること、
前記ブロックを、高さｈ／２の２つのサブブロックに水平に分割すること、ならびに
前記ブロックを、幅ｗ／２の２つのサブブロックに垂直に分割すること、
の少なくとも２つを含む、付記１０に記載の符号化装置。
（付記１２）
高さおよび幅の少なくとも１つにおける前記最小ブロックサイズは４に等しい、付記１０または１１に記載の符号化装置。
（付記１３）
機械実行可能命令がその上に格納されている機械可読媒体であって、前記機械可読命令は、実行される場合に、画像の現在のブロックを復号するための方法を実装し、前記方法は、
前記現在のブロックが前記画像の境界を越えて延在するかどうかを判断することと、
複数の分割モードの各分割モードに対して、前記分割モードが前記現在のブロックに対して許可されるかどうかを、
前記分割線の少なくとも１本が前記画像境界の１つと同一場所に位置付けられている場合には前記分割モードを許可することによって、そうでなければ、
前記画像境界に沿った前記画像内部のブロック部分のサイズが最小ブロックサイズの倍数である場合には前記分割モードを許可することによって、
判断することと、
前記許可される分割モードに応答して前記現在のブロックの現在の分割モードをビットストリームから復号することと
前記現在の分割モードに従って前記現在のブロックを復号することと、
を含む、機械可読媒体。
（付記１４）
機械実行可能命令がその上に格納されている機械可読媒体であって、前記機械可読命令は、実行される場合に、画像の現在のブロックを符号化するための方法を実装し、前記方法は、
前記現在のブロックが前記画像の境界を越えて延在するかどうかを判断することと、
複数の分割モードの各分割モードに対して、前記分割モードが前記現在のブロックに対して許可されるかどうかを、
前記分割線の少なくとも１本が前記画像境界の１つと同一場所に位置付けられている場合には前記分割モードを許可することによって、そうでなければ、
前記画像境界に沿った前記画像内部のブロック部分のサイズが最小ブロックサイズの倍数である場合には前記分割モードを許可することによって、
判断することと、
前記許可される分割モードに応答して判断された前記現在のブロックの現在の分割モードをビットストリームに符号化することと、
前記現在の分割モードに従って前記現在のブロックを前記ビットストリームに符号化することと、
を含む、機械可読媒体。
（付記１５）
画像のブロックを表す符号化データを含むためにフォーマットされたビットストリームであって、前記符号化データは付記４〜６のいずれかに従って符号化される、ビットストリーム。